(57)【特許請求の範囲】
【請求項１】
オペレータが複数の制御機器に対してパラメータの設定作業を実施する場合に設定装置と１台の前記制御機器とをケーブルで接続し、この１台の制御機器のパラメータの設定作業が終了した後に別の前記制御機器に前記設定装置を繋ぎ換えて設定作業を実施するという手順で、前記複数の制御機器のパラメータの設定作業を１台ずつ実施する際に、この設定作業を支援する前記設定装置において、
オペレータからパラメータの読み込み指示が入力されることによって制御機器からパラメータを読み込む読込手段と、
この読込手段が読み込んだパラメータをバックアップとして保存する保存処理手段と、
前記制御機器からのパラメータの読み込みが行われたときに、設定装置と制御機器の繋ぎ換えに伴ってオペレータが前記パラメータの読み込み指示を入力する通常のオペレーションが実行されたものと見なして、設定装置と制御機器の繋ぎ換えが行なわれたと判断する繋ぎ換え検出手段と、
この繋ぎ換え検出手段が設定装置と制御機器の繋ぎ換えが行なわれたと判断したときに、その後の前記バックアップの作業においてオペレータが留意すべきファイル操作を補助する操作補助手段とを備えることを特徴とする設定装置。
【請求項２】
請求項１記載の設定装置において、
前記操作補助手段は、前記オペレータが留意すべきファイル操作の補助として、前記バックアップ用のファイル名の入力をオペレータに促すことを特徴とする設定装置。
【請求項３】
請求項１記載の設定装置において、
前記操作補助手段は、前記オペレータが留意すべきファイル操作の補助として、前記バックアップ用のファイル名を生成することを特徴とする設定装置。
【請求項４】
オペレータが複数の制御機器に対してパラメータの設定作業を実施する場合に設定装置と１台の前記制御機器とをケーブルで接続し、この１台の制御機器のパラメータの設定作業が終了した後に別の前記制御機器に前記設定装置を繋ぎ換えて設定作業を実施するという手順で、前記複数の制御機器のパラメータの設定作業を１台ずつ実施する際に、この設定作業を支援するパラメータ設定作業支援方法において、
オペレータからパラメータの読み込み指示が入力されることによって制御機器からパラメータを読み込む読込ステップと、
この読込ステップで読み込んだパラメータをバックアップとして保存する保存処理ステップと、
前記制御機器からのパラメータの読み込みが行われたときに、設定装置と制御機器の繋ぎ換えに伴ってオペレータが前記パラメータの読み込み指示を入力する通常のオペレーションが実行されたものと見なして、設定装置と制御機器の繋ぎ換えが行なわれたと判断する繋ぎ換え検出ステップと、
この繋ぎ換え検出ステップで設定装置と制御機器の繋ぎ換えが行なわれたと判断したときに、その後の前記バックアップの作業においてオペレータが留意すべきファイル操作を補助する操作補助ステップとを備えることを特徴とするパラメータ設定作業支援方法。
【請求項５】
請求項４に記載のパラメータ設定作業支援方法の各ステップをコンピュータに実行させることを特徴とするパラメータ設定作業支援プログラム。
【発明の詳細な説明】
【技術分野】
【０００１】
本発明は、制御機器のパラメータの設定作業を支援する設定装置、パラメータ設定作業支援方法およびプログラムに関するものである。
【背景技術】
【０００２】
温調計などのループレベルの制御機器には、予め設定され記憶される必要があるパラメータが存在する。このようなパラメータの設定作業を支援するために、ＰＣローダと呼ばれるソフトウェアがコンピュータにインストールされ、コンピュータをパラメータ設定のための設定装置として利用することが行われている。このような設定装置の１例が特許文献１に開示されている。
【０００３】
設定装置と制御機器を繋ぐ場合はローダケーブルを利用するが、設定装置と制御機器の接続はパラメータの設定作業時に行うものであり、常時繋がれている必要があるものではない。したがって、複数の制御機器に対してパラメータの設定作業を実施する場合は、設定装置のＰＣローダを起動して１台の制御機器に対して設定作業を実施し、その作業が終了したら別の制御機器に設定装置を繋ぎ換えて設定作業を実施するというような手順になる。このとき、各制御機器のパラメータ設定内容を設定装置にバックアップとして保存しておくことが望ましい。
【０００４】
図４は従来のパラメータ設定作業におけるファイル保存処理の概念を示す図である。図４の例では、まず設定装置１０１と制御機器１０２−１をローダケーブルで接続して、制御機器１０２−１からパラメータ設定内容を設定装置１０１に読み込み（図４のステップＳ２０１）、設定装置１０１によってパラメータを変更した後に、この変更後のパラメータ設定内容をデータファイル１０３にバックアップとして保存する。さらに、変更後のパラメータ設定内容を設定装置１０１から制御機器１０２−１に送信することにより、制御機器１０２−１のパラメータを更新する。
【０００５】
以上のような制御機器１０２−１のパラメータの設定作業後に、設定装置１０１を制御機器１０２−２に繋ぎ換えて、制御機器１０２−２からパラメータ設定内容を読み込み（図４のステップＳ２０２）、制御機器１０２−１と同様にパラメータを設定する。
ただし、制御機器１０２−２に繋ぎ換えてデータファイルを設定装置１０１に保存する際に、ファイル名を更新せずにファイルの上書き保存を実行してしまうと、繋ぎ換える前の制御機器１０２−１のデータファイル１０３が上書きされ喪失してしまうので、オペレータはそのような事態にならないように留意しなければならない。
【０００６】
従来、オペレータの誤解や操作ミスを回避する方法として、特許文献２に開示された方法がある。この特許文献２に開示された方法は、ファイルを保存するにあたり、別のファイル名を付与することにより、パラメータの設定内容を上書きなしに保存するようにしたものである。
【０００７】
【特許文献１】特開２００３−３３７６０４号公報
【特許文献２】特開２００５−３００３２４号公報
【発明の開示】
【発明が解決しようとする課題】
【０００８】
しかしながら、特許文献２に開示された方法のように、全ての保存処理において自動的に別のファイル名を付与していく場合、保存処理の回数が増える毎にファイル数が増加するという問題点があった。
【０００９】
本発明は、上記課題を解決するためになされたもので、ファイル数の無駄な増加を抑えることができ、かつファイルの喪失というような不測の事態が発生する確率を低く抑えることができる設定装置、パラメータ設定作業支援方法およびプログラムを提供することを目的とする。
【課題を解決するための手段】
【００１０】
本発明は、オペレータが複数の制御機器に対してパラメータの設定作業を実施する場合に設定装置と１台の前記制御機器とをケーブルで接続し、この１台の制御機器のパラメータの設定作業が終了した後に別の前記制御機器に前記設定装置を繋ぎ換えて設定作業を実施するという手順で、前記複数の制御機器のパラメータの設定作業を１台ずつ実施する際に、この設定作業を支援する前記設定装置において、オペレータからパラメータの読み込み指示が入力されることによって制御機器からパラメータを読み込む読込手段と、この読込手段が読み込んだパラメータをバックアップとして保存する保存処理手段と、前記制御機器からのパラメータの読み込みが行われたときに、設定装置と制御機器の繋ぎ換えに伴ってオペレータが前記パラメータの読み込み指示を入力する通常のオペレーションが実行されたものと見なして、設定装置と制御機器の繋ぎ換えが行なわれたと判断する繋ぎ換え検出手段と、この繋ぎ換え検出手段が設定装置と制御機器の繋ぎ換えが行なわれたと判断したときに、その後の前記バックアップの作業においてオペレータが留意すべきファイル操作を補助する操作補助手段とを備えるものである。
また、本発明の設定装置の１構成例において、前記操作補助手段は、前記オペレータが留意すべきファイル操作の補助として、前記バックアップ用のファイル名の入力をオペレータに促すものである。
また、本発明の設定装置の１構成例において、前記操作補助手段は、前記オペレータが留意すべきファイル操作の補助として、前記バックアップ用のファイル名を生成するものである。
【００１１】
また、本発明は、オペレータが複数の制御機器に対してパラメータの設定作業を実施する場合に設定装置と１台の前記制御機器とをケーブルで接続し、この１台の制御機器のパラメータの設定作業が終了した後に別の前記制御機器に前記設定装置を繋ぎ換えて設定作業を実施するという手順で、前記複数の制御機器のパラメータの設定作業を１台ずつ実施する際に、この設定作業を支援するパラメータ設定作業支援方法において、オペレータからパラメータの読み込み指示が入力されることによって制御機器からパラメータを読み込む読込ステップと、この読込ステップで読み込んだパラメータをバックアップとして保存する保存処理ステップと、前記制御機器からのパラメータの読み込みが行われたときに、設定装置と制御機器の繋ぎ換えに伴ってオペレータが前記パラメータの読み込み指示を入力する通常のオペレーションが実行されたものと見なして、設定装置と制御機器の繋ぎ換えが行なわれたと判断する繋ぎ換え検出ステップと、この繋ぎ換え検出ステップで設定装置と制御機器の繋ぎ換えが行なわれたと判断したときに、その後の前記バックアップの作業においてオペレータが留意すべきファイル操作を補助する操作補助ステップとを備えるものである。
また、本発明のパラメータ設定作業支援プログラムは、パラメータ設定作業支援方法の各ステップをコンピュータに実行させるようにしたものである。
【発明の効果】
【００１２】
本発明によれば、制御機器からのパラメータの読み込みが行われたときに、設定装置と制御機器の繋ぎ換えが行なわれたと判断するようにしたので、ファイルを保存するにあたって留意しなければならない状況を検出することができ、この検出に応じて必要な処置を講じることができるので、バックアップ用のデータファイルの喪失というような不測の事態が発生する確率を低く抑えることができる。また、本発明では、ファイルの保存の際に常に新たなファイル名を付与する必要はなく、制御機器の繋ぎ換えが行われたと判断した場合のみ、必要な処置を講じればよいので、ファイル数の無駄な増加を避けることが可能となる。
【００１３】
また、本発明では、繋ぎ換え検出手段が設定装置と制御機器の繋ぎ換えが行なわれたと判断したときに、その後の作業においてオペレータが留意すべき操作を補助することにより、オペレータの負担を軽減し、バックアップ用のデータファイルの喪失というような不測の事態が発生する確率を低く抑えることができる。
【発明を実施するための最良の形態】
【００１４】
［発明の原理］
設定装置と制御機器を繋いでパラメータの設定作業を行なう場合は、通常はまず制御機器からパラメータの設定内容を読み込む操作が行なわれる。したがって、設定装置と制御機器を繋ぎ換えた際も、この読み込み操作が行なわれるのが通常のオペレーションであり、この読み込み操作が実行されたときを接続の繋ぎ換えと判断するのが妥当であることに、発明者は着眼した。
【００１５】
そして、制御機器の繋ぎ換えが行なわれたと判断した場合に、その後の作業においてオペレータが留意すべき操作を補助すれば、課題解決のために有効であることに、発明者は想到した。オペレータの操作を補助する具体策としては、読み込み操作が行なわれて繋ぎ換えが行なわれたと判断した直後の上書き保存操作において、オペレータに対する確認のメッセージを表示すればよい。あるいは、ファイル名を自動的に新規のものに変更してもよい。
【００１６】
［実施の形態］
以下、本発明の実施の形態について図面を参照して説明する。図１は本発明の実施の形態に係る設定装置の構成を示すブロック図である。
設定装置１は、制御機器２と接続される通信インタフェース部１０と、制御機器２からパラメータの設定内容を読み込む読込部１１と、制御機器２からのパラメータの読み込みが行われたときに制御機器２の繋ぎ換えが行われたと判断する繋ぎ換え検出部１２と、制御機器２のパラメータを変更する設定変更部１３と、制御機器２のパラメータおよび設定装置１のプログラムを記憶する記憶部１４と、読込部１１が読み込んだパラメータをバックアップとして保存する保存処理部１５と、設定装置１で変更されたパラメータを制御機器２に送信して制御機器２のパラメータを更新する書込部１６と、オペレータからの操作を受け付ける入力部１７と、オペレータに対して情報を提示する表示部１８とを有する。保存処理部１５は、制御機器２の繋ぎ換えが行なわれたと繋ぎ換え検出部１２が判断したときに、その後の作業においてオペレータが留意すべき操作を補助する操作補助手段を構成している。
【００１７】
以下、設定装置１の動作について説明する。図２は設定装置１の動作を示すフローチャートである。
まず、オペレータが設定装置１と制御機器２をローダケーブルで接続し、入力部１７を操作して読み込み指示を入力すると（図２ステップＳ１においてＹＥＳ）、読込部１１は、通信インタフェース部１０を通じて制御機器２からパラメータの設定内容を読み込む（ステップＳ２）。このとき読み込んだパラメータの設定内容は、一時記憶ファイルとして記憶部１４に格納される。
【００１８】
繋ぎ換え検出部１２は、前回の上書き保存操作以降に制御機器２からのパラメータの読み込みが実行されたときに、制御機器２の繋ぎ換えが行われたと判断する（ステップＳ３）。
続いて、設定変更部１３は、オペレータが入力部１７を操作してパラメータの変更操作を行うと（ステップＳ４においてＹＥＳ）、この変更操作に応じて、ステップＳ２で読み込まれたパラメータを変更する（ステップＳ５）。これにより、一時記憶ファイルの内容が書き換えられる。
【００１９】
次に、保存処理部１５は、オペレータが入力部１７を操作してパラメータの上書き保存操作を行うと（ステップＳ６においてＹＥＳ）、前回の上書き保存操作から今回の上書き保存操作までの間に制御機器２の繋ぎ換えが行われたかどうかを繋ぎ換え検出部１２に問い合わせる（ステップＳ７）。
【００２０】
保存処理部１５は、制御機器２の繋ぎ換えが行われたと繋ぎ換え検出部１２が判断した場合（ステップＳ７においてＹＥＳ）、ファイル名設定ダイアログボックスを表示部１８に表示させ、オペレータに対して制御機器２のデータファイルのファイル名の入力を促す（ステップＳ８）。そして、保存処理部１５は、オペレータが入力部１７を操作してファイル名を入力した後に、一時記憶ファイルの内容を、オペレータが指定したファイル名のデータファイルに保存する（ステップＳ９）。こうして、制御機器２のパラメータの設定内容がバックアップとして設定装置１の記憶部１４に保存される。
【００２１】
また、保存処理部１５は、制御機器２の繋ぎ換えが行われていないと繋ぎ換え検出部１２が判断した場合、バックアップ用のファイルとして現在指定されているファイル名のデータファイルに、一時記憶ファイルの内容を上書き保存する（ステップＳ１０）。
最後に、書込部１６は、オペレータが入力部１７を操作してパラメータの書き込み操作を行うと（ステップＳ１１においてＹＥＳ）、一時記憶ファイルを制御機器２に送信する（ステップＳ１２）。これにより、制御機器２は、自装置に設定されているパラメータを、送信された一時記憶ファイルの内容に更新する。
【００２２】
図３は本実施の形態のパラメータ設定作業におけるファイル保存処理の概念を示す図である。図３の例では、まず設定装置１と制御機器２−１をローダケーブルで接続して、制御機器２−１からパラメータ設定内容を設定装置１に読み込み（図３のステップＳ１０１）、データファイル３−１にバックアップとして保存する。
【００２３】
次に、制御機器２−１のパラメータの設定作業後に、設定装置１を制御機器２−２に繋ぎ換えて、制御機器２−２からパラメータ設定内容を読み込み（図３のステップＳ１０２）、制御機器２−１と同様にパラメータを設定する。このとき、制御機器２−２からのパラメータの読み込みにより、繋ぎ換え検出部１２は、制御機器の繋ぎ換えが行われたと判断する。このため、保存処理部１５は、データファイル３−１のファイル名ｎａ１とは異なるファイル名ｎａ２のデータファイル３−２に、制御機器２−２から読み込んだパラメータ設定内容を保存する。したがって、制御機器２−１のデータファイル３−１が上書きされて喪失してしまうことがなくなる。
【００２４】
以上のように、本実施の形態では、バックアップ用のデータファイルの喪失というような不測の事態が発生する確率を低く抑えることができる。また、本実施の形態では、ファイルの保存の際に常に新たなファイル名を付与するのではなく、制御機器の繋ぎ換えが行われたと判断した場合のみ、オペレータにファイル名の入力を促すようにしたので、ファイル数の無駄な増加を避けることが可能となる。
【００２５】
なお、本実施の形態では、制御機器の繋ぎ換えが行われたと判断した場合にオペレータにファイル名の入力を促すようにしているが、これに限るものではなく、制御機器の繋ぎ換えが行われたと判断した場合に、保存処理部１５がバックアップ用のデータファイルのファイル名を自動的に生成するようにしてもよい。
【００２６】
また、本実施の形態では、保存操作が行われた時点で、オペレータにファイル名の入力を促すようにしているが、これに限るものではなく、制御機器からパラメータの読み込みが行われ、制御機器の繋ぎ換えが行われたと繋ぎ換え検出部１２が判断した時点で、保存処理部１５がオペレータにファイル名の入力を促したり、ファイル名を自動的に生成したりするようにしてもよい。
【００２７】
本実施の形態の設定装置１は、ＣＰＵ、記憶装置および外部とのインタフェースを備えたコンピュータと、これらのハードウェア資源を制御するプログラムによって実現することができる。このコンピュータにおいて、本発明のパラメータ設定作業支援方法を実現させるためのパラメータ設定作業支援プログラム（ＰＣローダ）は、フレキシブルディスク、ＣＤ−ＲＯＭ、ＤＶＤ−ＲＯＭ、メモリカードなどの記録媒体に記録された状態で提供される。ＣＰＵは、記録媒体から読み込んだプログラムを記憶装置に書き込み、プログラムに従って本実施の形態で説明した処理を実行する。
【産業上の利用可能性】
【００２８】
本発明は、制御機器のパラメータの設定作業を支援する技術に適用することができる。
【図面の簡単な説明】
【００２９】
【図１】本発明の実施の形態に係る設定装置の構成を示すブロック図である。
【図２】本発明の実施の形態に係る設定装置の動作を示すフローチャートである。
【図３】本発明の実施の形態のパラメータ設定作業におけるファイル保存処理の概念を示す図である。
【図４】従来のパラメータ設定作業におけるファイル保存処理の概念を示す図である。
【符号の説明】
【００３０】
１…設定装置、２…制御機器、１０…通信インタフェース部、１１…読込部、１２…繋ぎ換え検出部、１３…設定変更部、１４…記憶部、１５…保存処理部、１６…書込部、１７…入力部、１８…表示部。
【図１】
0005248876.tif 000002
【図２】
0005248876.tif 000003
【図３】
0005248876.tif 000004
【図４】
0005248876.tif 000005